(57)【要約】      （修正有）【課題】振動吸収効果の調整および重心位置の変更ができ、異なる打球効果を発揮できるバドミントンラケットを提供する。【解決手段】バドミントンラケットは本体２０と振動吸収部材３０を備える。本体はヘッドフレーム２１とシャフト２８を有する。ヘッドフレームは長さが長軸方向に沿って伸びる。シャフトは一端がヘッドフレームに連結され、軸方向がヘッドフレームの長軸方向に平行である。ヘッドフレームは環状内側面、環状外側面および円弧状溝２５を有する。円弧状溝は環状内側面と環状外側面を貫通し、ヘッドフレームの長軸方向に位置する。円弧状溝とシャフトはヘッドフレームの相対する両端に別々に配置される。振動吸収部材はヘッドフレームに着脱可能に配置されて円弧状溝に被さる。ニーズに応じて重量および振動吸収能力が異なる振動吸収部材を入れ替えれば異なる打球効果を発揮できる。【選択図】図１
0003223277.tif 000002
【実用新案登録請求の範囲】
【請求項１】
本体および振動吸収部材を備え、
前記本体はヘッドフレームおよびシャフトを有し、前記ヘッドフレームは長さが長軸方向に沿って伸び、幅が短軸方向に沿って伸び、前記シャフトは一端が前記ヘッドフレームに連結され、軸方向が前記ヘッドフレームの前記長軸方向に平行であり、前記ヘッドフレームは第一環状内側面、第一環状外側面、複数の第一ガットホールおよび一つの円弧状溝を有し、前記第一ガットホールおよび前記円弧状溝は前記第一環状内側面および前記第一環状外側面を貫通し、前記円弧状溝は前記ヘッドフレームの前記長軸方向に位置し、前記シャフトとともに前記ヘッドフレームの相対する両端に別々に配置され、
前記振動吸収部材は前記ヘッドフレームに着脱可能に配置されて前記円弧状溝に被さり、第二環状内側面、第二環状外側面および複数の第二ガットホールを有し、前記第二ガットホールは前記第二環状内側面および前記第二環状外側面を貫通することを特徴とするバドミントンラケット。
【請求項２】
前記円弧状溝は二つの相対する端面に凸状当接部を有し、
前記振動吸収部材は二つの相対する端部に翼部を有し、二つの前記翼部は二つの前記凸状当接部に当接することを特徴とする請求項１に記載のバドミントンラケット。
【請求項３】
前記振動吸収部材は前記第二環状外側面に凹状溝を有し、前記凹状溝は複数の前記第二ガットホールに繋がることを特徴とする請求項１に記載のバドミントンラケット。
【請求項４】
前記円弧状溝は二つの相対する側壁面の間にリブを有することを特徴とする請求項１に記載のバドミントンラケット。
【請求項５】
前記振動吸収部材は前記第二環状内側面に間隔を置いて配列する二つの拡張部と、二つの前記拡張部の間に形成された嵌合溝とを有し、二つの前記拡張部は前記円弧状溝に嵌まり込み、前記嵌合溝は前記リブに嵌合されることを特徴とする請求項４に記載のバドミントンラケット。
【請求項６】
前記ヘッドフレームは三つの前記円弧状溝を有し、一つの前記円弧状溝は前記ヘッドフレームの前記長軸方向に位置し、前記シャフトとともに前記ヘッドフレームの相対する前記両端に別々に配置され、別の二つの前記円弧状溝は前記ヘッドフレームの前記短軸方向に位置し、かつ前記シャフトの前記軸方向に向かって対称的に配置され、三つの前記円弧状溝はそれぞれ前記振動吸収部材によって遮蔽されることを特徴とする請求項１から請求項５のいずれか一つに記載のバドミントンラケット。
【考案の詳細な説明】
【技術分野】
【０００１】
本考案はバドミントンラケットに関し、詳しくは振動吸収効果の調整および重心位置の変更ができるバドミントンラケットに関するものである。
【背景技術】
【０００２】
一般のラケット（例えばバドミントンラケット）は重心位置または振動吸収効果などの特性が固定されるため、プレーヤは好みによってラケットを決めることが一般的である。しかしながら、現場状況または身体状態によって特性の異なるラケットを使用すると考えるならば、複数の特性の異なるラケットを携帯する必要があるため、面倒なだけでなく、不経済でもある。
【考案の概要】
【考案が解決しようとする課題】
【０００３】
本考案は振動吸収効果を調整し、重心位置を変更することができるバドミントンラケットを提供することを主な目的とする。
【課題を解決するための手段】
【０００４】
上述した課題を解決するため、バドミントンラケットは本体および振動吸収部材を備える。本体はヘッドフレームおよびシャフトを有する。ヘッドフレームは長さが長軸方向に沿って伸び、幅が短軸方向に沿って伸びる。シャフトは一端がヘッドフレームに連結され、軸方向がヘッドフレームの長軸方向に平行である。ヘッドフレームは第一環状内側面、第一環状外側面、複数の第一ガットホールおよび一つの円弧状溝を有する。第一ガットホールおよび円弧状溝は第一環状内側面および第一環状外側面を貫通する。円弧状溝はヘッドフレームの長軸方向に位置し、シャフトとともにヘッドフレームの相対する両端に別々に配置される。振動吸収部材はヘッドフレームに着脱可能に配置されて円弧状溝に被さり、第二環状内側面、第二環状外側面および複数の第二ガットホールを有する。第二ガットホールは第二環状内側面および第二環状外側面を貫通する。
【０００５】
振動吸収部材は規格によって重量および振動吸収能力が異なるため、上述した構造特徴により、規格の異なる振動吸収部材を入れ替えればバドンミントンフレーム全体の振動吸収能力を調整できるだけでなく、バドンミントンフレームの重心位置を変更できる。つまり、異なる打球効果を発揮できるだけでなく、利便性および経済性を兼ね備えることができる。
【０００６】
比較的好ましい場合、円弧状溝は二つの相対する端面に凸状当接部を有する。振動吸収部材は二つの相対する端部に翼部を有する。振動吸収部材は二つの翼部がヘッドフレームの二つの凸状当接部に当接することによって円弧状溝に被さる。
【０００７】
比較的好ましい場合、振動吸収部材は第二環状外側面に凹状溝を有する。凹状溝は第二ガットホールに繋がる。
【０００８】
比較的好ましい場合、円弧状溝は二つの相対する側壁面の間にリブを有し、リブによってヘッドフレームの構造強度を向上させる。振動吸収部材は第二環状内側面に間隔を置いて配列する二つの拡張部と、二つの拡張部の間に形成された嵌合溝とを有する。二つの拡張部は円弧状溝に嵌まり込む。嵌合溝はリブに嵌合される。上述した構造特徴により、振動吸収部材は構造上の安定性を増大させ、リブの妨害を避けることができる。
【０００９】
比較的好ましい場合、ヘッドフレームは三つの円弧状溝を有する。一つの円弧状溝はヘッドフレームの長軸方向に位置し、シャフトとともにヘッドフレームの相対する両端に別々に配置される。別の二つの円弧状溝はヘッドフレームの短軸方向に位置し、かつシャフトの軸方向に向かって対称的に配置される。三つの円弧状溝はそれぞれ振動吸収部材によって遮蔽される。上述した構造特徴により、三つの振動吸収部材を調整すればバドミントンラケットの機能を多元的に変化させることができる。
【００１０】
本考案によるバドミントンラケットの詳細な構造、特徴、組み立てまたは使用方法は、以下の実施形態の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【００１１】
【図１】本考案の第１実施形態によるバドミントンラケットを示す平面図である。
【図２】本考案の第１実施形態によるバドミントンラケットの一部分を示す斜視図である。
【図３】本考案の第１実施形態によるバドミントンラケットにおいてヘッドフレームと振動吸収部材とが分離した状態を示す斜視図である。
【図４】本考案の第１実施形態によるバドミントンラケットにおいてヘッドフレームと振動吸収部材とが結合した状態を示す断面図である。
【図５】本考案の第２実施形態によるバドミントンラケットにおいてヘッドフレームと振動吸収部材とが分離した状態を示す斜視図である。
【図６】本考案の第２実施形態によるバドミントンラケットにおいてヘッドフレームと振動吸収部材とが結合した状態を示す断面図である。
【図７】本考案の第３実施形態によるバドミントンラケットを示す平面図である。
【考案を実施するための形態】
【００１２】
以下、本考案によるバドミントンラケットを図面に基づいて説明する。明細書において方向性用語は図面に示した方向に基づいて表現される。図面中の同じ符号は同じ部品または類似した部品の構造特徴を示す。
【００１３】
（第１実施形態）
図１および図２に示すように、本考案の第１実施形態によるバドミントンラケット１０は本体２０および振動吸収部材３０を備える。
【００１４】
本体２０は繊維強化樹脂から製作される。繊維は炭素繊維、ガラス繊維、ホウ素繊維または芳香族ポリアミド系樹脂（商標名Kevlar）であるが、これに限らない。樹脂は熱硬化性樹脂または熱可塑性樹脂である。本体２０はヘッドフレーム２１およびシャフト２８を有する。ヘッドフレーム２１は楕円形を呈し、長さが長軸方向Ｄ１に沿って伸び、幅が短軸方向Ｄ２に沿って伸びる。シャフト２８は一端がグリップ２９に連結され、一端がヘッドフレーム２１に連結され、軸方向がヘッドフレーム２１の長軸方向に平行である。図２に示すように、ヘッドフレーム２１は第一環状内側面２２、第一環状外側面２３、複数の第一ガットホール２４および一つの円弧状溝２５を有する。第一ガットホール２４および円弧状溝２５は第一環状内側面２２および第一環状外側面２３を貫通する。円弧状溝２５はヘッドフレーム２１の長軸方向Ｄ１に位置し、シャフト２８とともにヘッドフレーム２１の相対する両端に別々に配置される。図３および図４に示すように、円弧状溝２５は二つの相対する端面に凸状当接部２６を有し、かつ構造強度を強化するために二つの相対する側壁面の間にリブ２７を有する。
【００１５】
振動吸収部材３０は本体２０と同じ材質または耐衝撃性のある材料、例えばポリカーボネート（Polycarbonate,ＰＣ）から製作される。図２から図４に示すように、振動吸収部材３０は第二環状内側面３１、第二環状外側面３２および複数の第二ガットホール３３、一つの凹状溝３４および二つの翼部３５を有する。複数の第二ガットホール３３は第二環状内側面３１および第二環状外側面３２を貫通する。凹状溝３４は第二環状外側面３２に形成され、複数の第二ガットホール３３に繋がる。二つの翼部３５は振動吸収部材３０の二つの相対する端部に形成される。図３に示すように、ヘッドフレーム２１を組み立てる際、振動吸収部材３０の二つの翼部３５をヘッドフレーム２１の二つの凸状当接部２６に当接させれば、振動吸収部材３０をヘッドフレーム２１に装着して円弧状溝２５を遮蔽することができる。続いて、第一ガットホール２４および第二ガットホール３３にガット（図中未表示）を通してフェイス（図中未表示）を構成する。
【００１６】
（第２実施形態）
振動吸収部材は構造が上述に限られず、変わってもよい。図５および図６は本考案の第２実施形態を示す模式図である。第２実施形態と第１実施形態との違いは下記のとおりである。第２実施形態において、振動吸収部材４０は第１実施形態により掲示された振動吸収部材３０より重い。詳しく言えば、振動吸収部材４０は第二環状内側面４１に間隔を置いて配列する二つの拡張部４３と、二つの拡張部４３の間に形成された嵌合溝４４とを有する。複数の第二ガットホール４２は二つの拡張部４３を貫通する。ヘッドフレーム２１を組み立てる際、ヘッドフレーム２１の円弧状溝２５に振動吸収部材４０の二つの拡張部４３を嵌め込み、二つの拡張部４３の間の嵌合溝４４とヘッドフレーム２１のリブ２７とを嵌め合わせれば構造上の安定性を増大させることができる。
【００１７】
上述したとおり、振動吸収部材３０および振動吸収部材４０は重量が異なる、即ち規格が異なるため、プレーヤのニーズに応じて規格の異なる振動吸収部材３０、４０を入れ替えればバドミントンラケット１０の全体の振動吸収能力を調整できるだけでなく、バドミントンラケット１０の重心位置を変更できる。つまり、異なる打球効果を発揮できるだけでなく、利便性および経済性を兼ね備えることができる。
【００１８】
（第３実施形態）
本体２０は構造が上述に限られず、変わってもよい。図７は本考案の第３実施形態を示す模式図である。第３実施形態において、本体２０は三つの円弧状溝２５を有する。一つの円弧状溝２５はヘッドフレーム２１の長軸方向Ｄ１に位置し、シャフト２８とともにヘッドフレーム２１の相対する両端に別々に配置される。別の二つの円弧状溝２５はヘッドフレーム２１の短軸方向Ｄ２に位置し、かつシャフト２８の軸方向に向かって対称的に配置される。三つの円弧状溝２５はそれぞれ振動吸収部材３０によって遮蔽される。つまり、第３実施形態は第１実施形態により掲示された振動吸収部材３０を三つ採用するが、これに限らず、振動吸収部材３０の全部または一部分を第２実施形態により掲示された振動吸収部材４０に入れ替えてもよい。上述した構造特徴により、組み合わせを変更すればバドミントンラケット１０の機能を多元的に変化させることができる。
【符号の説明】
【００１９】
（第１実施形態）  
１０：バドミントンラケット、  
２０：本体、  
２１：ヘッドフレーム、  
２２：第一環状内側面、  
２３：第一環状外側面、  
２４：第一ガットホール、  
２５：円弧状溝、  
２６：凸状当接部、  
２７：リブ、  
２８：シャフト、  
２９：グリップ、  
３０：振動吸収部材、  
３１：第二環状内側面、  
３２：第二環状外側面、  
３３：第二ガットホール、  
３４：凹状溝、  
３５：翼部、  
Ｄ１：長軸方向、  
Ｄ２：短軸方向、
（第２実施形態）  
４０：振動吸収部材、  
４１：第二環状内側面、  
４２：第二ガットホール、  
４３：拡張部、  
４４：嵌合溝
【図１】
0003223277.tif 000003
【図２】
0003223277.tif 000004
【図３】
0003223277.tif 000005
【図４】
0003223277.tif 000006
【図５】
0003223277.tif 000007
【図６】
0003223277.tif 000008
【図７】
0003223277.tif 000009